(57)【特許請求の範囲】
【請求項１】
容器（２）のネック（３）に栓をするための栓装置（１）であって、
前記栓装置は、
・  支持体（４）であって
チューブ状であり、
第１の軸線（Ｘ−Ｘ）を画定し、
ネックに固定されるのに適しており、
第１の軸線（Ｘ−Ｘ）に対してほぼ直角に交わる第２の軸線（Ｙ−Ｙ）に沿って、支持体から延びる留めタブ（８）が設けられる
支持体（４）と、
・  キャップ（１４）であって、
略環状断面であり、さらに、封鎖位置と開封位置との間を枢動するように支持体に蝶着され、
キャップ（１４）が封鎖位置にあるときに、前記留めタブが、前記キャップに備えられる開口（２４）に係合するのに適し、かつ、
キャップ（１４）が封鎖位置にあるときに、第１の軸線（Ｘ−Ｘ）と第２の軸線（Ｙ−Ｙ）との両方に対して直角に交わる第３の軸線（Ｚ−Ｚ）に沿って横方向に圧迫されることにより卵形状断面をなすのに適している
キャップ（１４）と
を具備する、前記栓装置において、
栓装置がさらに、略環状断面の不正開封防止バンド（２０）であって、キャップがその封鎖位置からその開封位置に初めて移動するときに破断されるのに適した少なくとも１つの破断可能ブリッジ（２２）を介して、その封鎖位置にあるキャップに接続されており、そのときに支持体（４）に沿って落下する不正開封防止バンド（２０）を具備し、
キャップ（１４）が、その封鎖位置において、第３の軸線（Ｚ−Ｚ）に沿って横方向に圧迫されることにより、その卵形状断面をなすとき、
−  第１の段階において、第３の軸線が通過するバンド（２０）の部分に配置される少なくとも１つのブリッジが破断され、
−  次いで、第２の段階において、前記留めタブ（８）が、その開封位置に移動することができるキャップの開口（２４）から離れる、
栓装置。
【請求項２】
第３の軸線（Ｚ−Ｚ）が通過するバンド（２０）の部分に、全てのブリッジ（２２）が配置される、
請求項１に記載の装置。
【請求項３】
支持体（４）には、支持体の上部を形成する飲み口（６）と、さらに、少なくとも１つの開口斜面（１２）との両方が設けられ、
飲み口（６）に向かって面する当該斜面の第１の端（１２Ａ）が、支持体の外側に向かって面する当該斜面の反対側の第２の端（１２Ｂ）の高さよりも、大きい高さを有するように、当該斜面が構成される、
請求項１又は２に記載の装置。
【請求項４】
飲み口（６）が、第１の軸線（Ｘ−Ｘ）に中心合わせされる筒状であり、
飲み口（６）が、
円形、又は
第２の軸線（Ｙ−Ｙ）に沿って配置される飲み口（６）の長い方の寸法を有する卵形状
である、ベースを有する、
請求項３に記載の装置。
【請求項５】
ブリッジの組は、少なくとも１つのブリッジ（２２）から構成され、２つのブリッジの組が、第３の軸線（Ｚ−Ｚ）に沿って、飲み口（６）の両側に配置されている、
請求項３又は４に記載の装置。
【請求項６】
装置には、少なくとも１つのフィン（２６）が設けられ、当該フィンは、第１の軸線（Ｘ−Ｘ）に沿って細長く、ブリッジ（２２）が破断される際に、不正開封防止バンド（２０）が落下するときに、当該バンドを導くのに適し、
前記フィンは、バンドと支持体（４）との間に介装される、
請求項１〜５のいずれか１項に記載の装置。
【請求項７】
装置には、複数のフィン（２６）が設けられ、当該フィンは均等に、バンド（２０）と支持体（４）との間に介装される、
請求項６に記載の装置。
【請求項８】
装置には、周囲リブが設けられ、当該周囲リブは、ブリッジ（２２）が破断される際に、不正開封防止バンド（２０）が落下するときに当該バンドを導くのに適し、
前記リブは、バンドと支持体（４）との間に介装される、
請求項１〜７のいずれか１項に記載の装置。
【請求項９】
装置には、キャップ（１４）がその封鎖位置に移動されたときに、開口（２４）内に前記留めタブ（８）を係合するための係合手段が設けられ、
前記係合手段が、
第１の軸線（Ｘ−Ｘ）に向かって移動しつつ飲み口（６）内の開口（１０）に向かって傾斜し、
前記留めタブの上面によって形成される
第１の斜面と、
キャップが封鎖位置にあるときに、第１の軸線（Ｘ−Ｘ）に向かって移動しつつ飲み口（６）の開口（１０）に向かって傾斜し、
キャップ（１４）の端（１４１）によって形成され、
前記留めタブ（８）と接触するのに適した、
第２の斜面と
の両方又は一方を含む、
請求項２〜８のいずれか１項に記載の装置。
【請求項１０】
前記装置は、キャップ（１４）がその卵形状断面をなすのにキャップが十分に圧迫されない場合に、開口（２４）内に前記留めタブ（８）を機械的に保持するための保持手段を有し、
前記保持手段が、
第１に、
第１の軸線（Ｘ−Ｘ）に向かって移動しつつ飲み口（６）に向かって傾斜し、
前記留めタブの下面によって形成される、
第１の傾斜部（８Ｂ）と、
第２に、
第１の傾斜部に対して相補的であり、
開口（２４）の下縁部によって形成される、
第２の傾斜部（２４Ａ）と
を含む、
請求項２〜９のいずれか１項に記載の装置。
【請求項１１】
キャップ（１４）が、その封鎖位置において、容器（２）内に収容されている液体の流出を防ぐように、支持体（４）を閉鎖し、
キャップが、その封鎖位置から、その封鎖位置とその開封位置との間の中間位置に移動する間に、支持体が、容器（２）内に収容されている液体の流出を防ぐように、キャップによって閉鎖され続け、
前記留めタブ（８）が開口（２４）から十分に離されたときにのみ、前記中間位置はキャップによってなされる、
請求項１〜１０のいずれか１項に記載の装置。
【発明の詳細な説明】
【技術分野】
【０００１】
本発明は、容器のネックに栓をするための栓装置に関する。
【背景技術】
【０００２】
液体を包装する分野において、容器のネジ山を付けられた又はネジ山を付けられていないネックには、概してプラスチック材料から作られ、封鎖位置と開封位置との間を枢動するように支持体に蝶着されたキャップを具備する、栓装置が備えられることができることが公知である。この支持体は、全体形状がチューブ状であり、ネックの周りに固定されるように支持体自体が設計される。この形式の装置はしばしば、ユーザが容器のネックから直接に飲むことができるように設計される。
【０００３】
特許文献１は、キャップと、長手方向の第１の軸線を画定する支持体と、を具備する栓装置を開示する。この装置はさらに、第１の軸線に直角に交わる横方向の第２の軸線に沿って延びる留めタブを具備する。残念なことに、ユーザは、使用されている栓装置が以前に開封されていないという保証を少しも有さない。したがって、装置が備えられる容器の中身が、装置が初めて開封されるよりも前に、栓と支持体との間の漏れ止め接触の可能性のある破断に起因して、容器の初期封鎖以後に、外気と接触したおそれがある。この欠点を軽減するために、対策として、不正開封防止バンドが使用されることができる。
【０００４】
この形式の栓装置が初めて使用される前に、すなわち、キャップが支持体に対して初めて開封される前に、支持体によって支持されるキャップが、不正開封防止バンドに接続されている。この接続は、装置が初めて開封されたときに、破断されるのに適している。この目的を達成するために、キャップが、支持体と共に漏れ止め接触の状態にあるキャップの封鎖初期位置から、支持体から離間される開封位置に向かって駆動されると１又は複数の破断可能なブリッジが変形され次いで破断されるように、バンドと栓との間に介装される。
【０００５】
残念なことに、実際には、そのような破断可能なブリッジの使用は、ユーザのために限られた保証しか提供しない。例えば、輸送の際の衝撃の場合には、又は炭酸飲料の存在に起因する容器内部の高い圧力の場合には、栓装置は所望しないやり方で初めて開封されるおそれがある。したがって、ブリッジが破断するおそれがあり、栓と支持体との間の損なわれていない漏れ止め密閉作用は、もはやユーザのために保証されない。さらにしばしば、ブリッジが破断されているか否かを理解することが非常に難しい。加えて、ブリッジを破断することなしに、装置の漏れ止め作用が悪い影響を受けるために、キャップが、その封鎖位置から十分に離間されることができないおそれがある。言い換えれば、意図的には又はそれ以外では、そのような装置に備えられる容器の中身は、外側から汚染されるおそれがあり、それにより、結果としてユーザに多大な健康及び安全上のリスクを及ぼす。
【先行技術文献】
【特許文献】
【０００６】
【特許文献１】国際公開第９５／０７２２３号
【発明の概要】
【発明が解決しようとする課題】
【０００７】
本発明の目的は、栓装置であって、偶然に、又は悪意を持って、栓装置が初めて開封されることから防ぐのに十分に強い一方で、さらに、消費者にとって使用することが容易である、栓装置を提供することにある。
【課題を解決するための手段】
【０００８】
この目的を達成するために、本発明は、請求項１において定義されるような、容器ネックを封鎖するための栓装置を提供する。
【０００９】
本発明の装置により、消費者は、キャップを開封するために、わずかな力しか印加することを必要としない。ユーザが横方向にキャップを圧迫すると、ブリッジが破断した後に、留めタブが開放される。使用のこの簡易さと平行して、装置は、不正開封防止バンドと留めタブとの結合に起因して、満足する程度の安心及び安全を保証するのに十分に丈夫である。加えて、ブリッジが破断されない限りは、キャップと飲み口との間の漏れ止め密閉作用が損なわれていないことが保証される。
【００１０】
互いに分離して又は技術的に可能な任意の組み合わせにより取り入れられる本発明の栓装置の有利な特徴は、従属請求項２〜１１において定義される。
【図面の簡単な説明】
【００１１】
【図１】本発明の栓装置であって、封鎖位置にある栓装置のキャップを有し、容器ネックの周りに取り付けられる、栓装置の斜視図。
【図２】開封位置にある装置のキャップを有する、図１に類似する図。
【図３】図１の平面ＩＩＩ上の装置の断面図。
【図４】図３の線ＩＶ−ＩＶでの装置の断面図。
【図５】図３の線Ｖ−Ｖでの装置の断面図。
【図６】栓装置のキャップが開封されている前記キャップを有する装置を示す、図４に類似する図。
【図７】図３において取り囲まれた領域ＶＩＩに関する有利な実装任意選択形態を示す、大きな縮尺での線図の断面図。
【発明を実施するための形態】
【００１２】
図面を参照しつつ、単なる例として与えられる以下の記載を読むことによってより明確に本発明を理解することができる。
【００１３】
図１〜図５は、容器２に栓をするための栓装置１を示し、図１及び図２のみにおいて、容器２は断片的なやり方で可視である。この容器は、例えば、ポリエチレンテレフタレート（ＰＥＴ）から作られるボトルであり、ミネラルウォータ又はいくつかの他の液体などの飲むことのできる液体を収容する。
【００１４】
装置１は、中央長手方向軸線Ｘ−Ｘを画定するチューブ状の支持体４を含む。前記支持体４は、らせん状の外側ネジ山によってネジ締めすることにより容器２のネック３に位置決めされ、当該ネジ山は、ネックの一部分に配置される。支持体４の下方部には、容器２を保持するのと、容器２のネック３上にネジ締めするのとをより容易にする、均一に分布される外側スプラインが設けられる。
【００１５】
支持体４の上方部を形成する飲み口６は、断面略卵形状であり、軸線Ｘ−Ｘに対して垂直である軸線Ｙ−Ｙに対して平行に、飲み口６の長い方の寸法を有する。したがって、図４に示される飲み口６の断面は楕円形の外形を有し、当該外形は、軸線Ｙ−Ｙと一致する当該外形の主軸線を有し、かつ軸線Ｘ−Ｘと軸線Ｙ−Ｙとの両方に対して直角に交わる軸線Ｚ−Ｚ上にほぼ整列される当該外形の第２の軸線を有する。
【００１６】
飲み口６には、軸線Ｙ−Ｙに沿って飲み口の楕円形の本体から突出する留めタブ８が設けられる。前記タブ８は、タブ８と支持体４の上方環状表面４１との間において、軸線Ｘ−Ｘ及び軸線Ｙ−Ｙに対して平行に拡がるフィン９によって支持される。
【００１７】
この実施例において、部品４、部品６、部品８及び部品９は、１つの部品として作られ、特に、選択されるプラスチック材料、とりわけポリプロピレン及びポリエチレンから選択されるプラスチック材料を熱成形することによって作られる。飲み口６は、容器２内の液体を容器２から流出できるようにする開口１０が設けられる。
【００１８】
支持体４には、さらに、２つの細長い斜面１２が設けられ、軸線Ｚ−Ｚに沿って見ると、当該斜面は、上方環状表面４１上に飲み口６の両側に配置される。前記斜面１２は、飲み口６の向きに面する当該斜面の端１２Ａが、支持体４の外側に向かって面する当該斜面の端１２Ｂよりも厚いように置かれる。
【００１９】
加えて、装置１は、支持体４に蝶着されるキャップ１４を含む。図１に示される“封鎖”第１位置において、キャップ１４は、容器２内に収容される液体の流出を防ぐために、漏れ止めのやり方で飲み口６の開口１０を閉鎖する。タブ８は、キャップ１４に設けられる貫通開口２４に係合される。図２に示される“開封”第２位置において、キャップ１４は、枢動軸線回りに枢動され、当該枢動軸線は、軸線Ｚ−Ｚに対して平行であり、支持体４に固定され又は支持体４と一体である部分１６にキャップ１４を接続する２つのヒンジストリップ１８を通過する。
【００２０】
さらに、装置１には、環状断面の不正開封防止バンド２０が設けられる。封鎖位置において、支持体４によって支持されるバンド２０が、少なくとも１つの破断可能ブリッジ２２を介して、キャップ１４に接続される。図１及び図２に示される本発明の好適実施形態において、軸線Ｚ−Ｚに沿って見ると、２つのブリッジ２２の２組が、互いに対向して飲み口６の両側に配置される。
【００２１】
装置１には、図５に示されるフィン２６が設けられ、フィン２６は、バンド２０と支持体４との間に介装される。図５において、フィン２６は支持体４に接続される。フィン２６は、支持体に接着することによって留められることができ、又は熱成形によって支持体と共に一体として形成されることができる。前記フィン２６は、硬質プラスチック材料から作られ、支持体４の外周の周りに均等に分布される突出部である。
【００２２】
変形例として（図示しない）、装置１には、バンド２０と支持体４との間に介装される周囲リブが設けられてもよい。リブは、支持体４の外周全体にわたって配置されてもよく、熱成形によって作られてもよい。
【００２３】
ここで考慮される実施形態において、キャップ１４、固定部分１６及びストリップ１８は、１つの部品として作られ、特に、選択されるプラスチック材料、とりわけポリプロピレン及びポリエチレンから選択されるプラスチック材料を熱成形することによって作られる。
【００２４】
ユーザが初めてキャップ１４を開封することを望むときは、前記ユーザは、軸線Ｚ−Ｚに沿って圧力を及ぼす。この圧迫作用は、２つの矢印Ｆにより図６に表される。第１の段階の際に、軸線Ｚ−Ｚが通過するバンド２０の部分に配置されるブリッジ２２が破断される。次いで、キャップ１４は、特に、図６に示されるように開口２４を画定するキャップ１４の部分において、略卵形状断面をなす。キャップ１４をより容易に開封するために、開口斜面１２が楕円形状化に助力し、具体的には、ユーザが軸線Ｚ−Ｚに沿って正確に横方向圧力を及ぼさないときに助力する。
【００２５】
次いで、支持体４上に移動可能であるように支持されるバンド２０は、支持体４に沿って落下する。フィン２６及び上述のリブの両方又は一方の存在は、バンド２０が落下するときに、バンド２０を導くことを可能にする。したがって、消費者が初めて容器２を開封する人であるか否かについて、前記消費者は、非常に明確に理解することができる。
【００２６】
第２の段階において、軸線Ｚ−Ｚに沿って横方向に圧迫作用が及ぼされ続ける間に、タブ８は、貫通開口２４から離れる。キャップ１４は次いで、前述の枢動軸線回りに枢動することによって、キャップ１４の開封位置に移動することができる。軸線Ｙ−Ｙに沿った卵形状断面の飲み口６は、ユーザの口の形状に適合する。したがって、ユーザは、口内において、この十分に決められた方向に飲み口をくわえることが促される。ユーザは、キャップ１４によって妨げられない。
【００２７】
有利には、キャップ１４の封鎖位置から始まり、タブ８が開口２４から完全に離されたときにのみに、キャップにアクセスできる中間位置にキャップが到達していない限りは、飲み口６内の開口１０が、キャップ１４により漏れ止めのやり方で封鎖され続けることが、当然である。したがって、装置１が初めて開封される前に、ブリッジ２２が破断されていないことをユーザが観察する限りは、前記ユーザは、装置が故意に傷つけられていない、すなわち、装置１に備えられる容器２の中身を消費するのに適さなくする目的で装置の密閉作用を破るためにキャップが以前に不正開封されていないという、信頼できる保証を有する。
【００２８】
第３の段階において、容器から飲んだ後に、消費者は再び、キャップ１４を封鎖することを選択する場合がある。次いで、不正開封バンド２０が落下した後に、不正開封バンド２０が定められた位置にとどまることを除いては、装置は封鎖第１位置に戻る。
【００２９】
図７に示される選択任意の構成として、留めタブ８の上面は、その自由端において、図７における上向きに傾斜した、すなわち軸線Ｘ−Ｘに向かって移動しつつ開口１０に向かって傾斜した、斜面８Ａを形成してもよい。斜面８Ａに加えて、又は斜面８Ａの代わりに、キャップ１４の下端１４１において、ヒンジストリップ１８から反対側にかつ留めタブ８に接触するように設計される斜面１４１Ａを、設けることができる。キャップ１４が封鎖位置にあるときに、前記斜面１４１Ａは、タブ８に形成される斜面８Ａと同じ方向、すなわち、軸線Ｘ−Ｘに向かって移動しつつ飲み口６内の開口１０に向かう方向に、傾斜するように構成される。２つの斜面８Ａ及び１４１Ａは、タブ８及びキャップ１４が製造されている間に、熱成形によって直接に形成されてもよい。したがって、キャップ１４を元のキャップ１４の封鎖位置に戻すことは、互いに対して摺動する前記斜面の互いの存在によって、さらに容易にされる。
【００３０】
図７は、装置１の他の任意選択の構成を示し、当該構成は、実際には、直上に記載された構成と結合されてもよく、留めタブ８の自由端において、軸線Ｘ−Ｘに向かって移動しつつ上向きに傾斜する傾斜部８Ｂを形成するように、留めタブ８の下面を提供することから構成される一方で、開口２４の下縁部が傾斜部８Ｂに対して相補的である傾斜部２４Ａを画定する。これらの傾斜部８Ｂ及び傾斜部２４Ａの存在により、キャップ１４が明確に楕円形になるように圧迫されない限りは、タブ８を開口２４から離すことができなくなる。キャップ１４をその封鎖位置からその開封位置に駆動している間に、キャップ１４がほんの少しでも楕円形状になるように圧迫されたならば、傾斜部８Ｂの上端及び傾斜部２４Ａの下端のそれぞれが互いに接触し、傾斜部８Ｂ及び傾斜部２４Ａは次いで、互いに対して摺動し、したがって、タブ８の自由端は次いで、開口２４内に機械的に保持される。反対に、前記傾斜部同士の間の相対的な摺動接触は、ユーザがキャップ１４をさらに楕円形状にすることを妨げない。
【００３１】
さらに、上述の栓装置１の様々な構成及び変形が可能である。例として、以下のうちの１つ又はこれらの組み合わせが可能である。
・  軸線Ｘ−Ｘに中心合わせされる筒状の飲み口６が、楕円形のベースを有するのではなく、円形のベースを有してもよい。
・  フィン２６は、不正開封防止バンド２０上に形成されてもよい。
・  支持体４は、ネジ締めによりネック３の周りに固定されるのではなく、ネックの相補的な部分に支持体４の下面の部分をスナップ留めすることによって留められてもよい。
・  ２つの異なった部品として支持体４及びキャップ１４を形成し、これらが次いで、共に組み付けられるのではなく、これらの２つの要素が、その封鎖位置にあるキャップと共に、又はその封鎖位置から互いに離間する位置にあるキャップと共に、成形されることができ、この後者のキャップは次いで、その封鎖位置へ移動、具体的には枢動される。
・  飲み口６の開口１０において、剥取り式のフィルム、切取り式のフィルム、又はシールを提供することができ、当該シールは、切取りタブが設けられると有利であり、そのようなシールは、特に容器がその保存について特別に敏感である物質を含むときに、装置が初めて開封されたか否かのさらなる指標を構成する。
【図１】
0005485917.tif 000002
【図２】
0005485917.tif 000003
【図３】
0005485917.tif 000004
【図４】
0005485917.tif 000005
【図５】
0005485917.tif 000006
【図６】
0005485917.tif 000007
【図７】
0005485917.tif 000008